(57)【要約】  本発明は、ベンティング（ｖｅｎｔｉｎｇ）圧の散布を改善することができる二次電池に関する。  また、本発明は、電極組立体、前記電極組立体を内部に収容するカン部材、及び前記カン部材の開口部を覆うトップキャップ組立体を含む二次電池であって、前記トップキャップ組立体は、最上部に位置されるトップキャップと前記トップキャップの下部に位置される安全ベント部を含み、前記安全ベント部は、前記カン部材の内部の内圧が所定の圧力以上に増加するときに破断される破断部、前記破断部の境界を形成する破断ノッチ部、及び前記カン部材の内側を眺める前記破断部の底面で、前記破断ノッチ部から前記破断部の中央側に離隔された位置に形成されたベンディングノッチ部を含み、前記カン部材の内部の内圧が増加するときに前記ベンディングノッチ部はベンディング（ｂｅｎｄｉｎｇ）されることを特徴とする。
2021530836.tif 000002
【特許請求の範囲】
【請求項１】
電極組立体１；
前記電極組立体１を内部に収容するカン部材３；及び
前記カン部材３の開口部を覆うトップキャップ組立体１００；を含む二次電池であって、
前記トップキャップ組立体１００は、最上部に位置されるトップキャップ１０１と前記トップキャップ１０１の下部に位置される安全ベント部１１０を含み、
前記安全ベント部１１０は、
前記カン部材３の内部の内圧が所定の圧力以上に増加するときに破断される破断部１１１；
前記破断部１１１の境界を形成する破断ノッチ部１１３；及び
前記カン部材３の内側を眺める前記破断部１１１の底面で、前記破断ノッチ部１１３から前記破断部１１１の中央側に離隔された位置に形成されたベンディングノッチ部１１５を含み、
前記カン部材３の内部の内圧が増加するときに前記ベンディングノッチ部１１５はベンディング（ｂｅｎｄｉｎｇ）されることを特徴とする二次電池。
【請求項２】
前記破断ノッチ部１１３は、前記安全ベント部１１０の下部表面から凹んで形成され、
前記ベンディングノッチ部１１５もまた前記安全ベント部１１０の下部表面から凹んで形成され、
前記ベンディングノッチ部１１５の凹んだ深さは、前記破断ノッチ部１１３の凹んだ深さより浅いことを特徴とする、請求項１に記載の二次電池。
【請求項３】
前記破断ノッチ部１１３は、前記破断部１１１の前記底面に形成されることを特徴とする、請求項１に記載の二次電池。
【請求項４】
前記トップキャップ組立体１００は、
前記破断部１１１に付着して前記カン部材３の内部の内圧が増加するときに破断されて電流を遮断する遮断部１２１を備える電流遮断装置１２０をさらに含むことを特徴とする、請求項１に記載の二次電池。
【請求項５】
前記電流遮断装置１２０の遮断部１２１は、前記破断部１１１で前記ベンディングノッチ部１１５の周囲内側に付着することを特徴とする、請求項４に記載の二次電池。
【請求項６】
前記ベンディングノッチ部１１５は、連続される円形または楕円形であることを特徴とする、請求項１に記載の二次電池。
【請求項７】
前記ベンディングノッチ部１１５は、不連続される円形または楕円形であることを特徴とする、請求項１に記載の二次電池。
【請求項８】
前記ベンディングノッチ部１１５は、互いに長さが異なるように複数個からなることを特徴とする、請求項１に記載の二次電池。
【請求項９】
前記破断ノッチ部１１３は、不連続される円形または楕円形であることを特徴とする、請求項１に記載の二次電池。
【請求項１０】
前記安全ベント部１１０の縁部１１７と前記破断部１１１の間の連結部１１９は、上方にベンディング（ｂｅｎｄｉｎｇ）されていることを特徴とする、請求項１に記載の二次電池。
【請求項１１】
前記破断部１１１は、
前記連結部１１９から前記ベンディングノッチ部１１５側の方向に高さが低くなるように傾く傾斜部分１１１ａ及び
前記傾斜部分の端部から前記破断部１１１の中央側に延長されて水平な形態の水平部分１１１ｂを含み、
前記ベンディングノッチ部１１５は、前記傾斜部分１１１ａと前記水平部分１１１ｂの境界に位置することを特徴とする、請求項１０に記載の二次電池。
【請求項１２】
前記安全ベント部１１０の縁端部と前記破断ノッチ部１１３の間の離隔距離と、前記破断ノッチ部１１３と前記ベンディングノッチ部１１５の間の離隔距離とは同一であることを特徴とする、請求項１に記載の二次電池。
【発明の詳細な説明】
【技術分野】
【０００１】
［関連出願の相互参照］
本出願は、２０１８年１１月２８日付韓国特許出願第１０−２０１８−０１４９３６９号に基づいた優先権の利益を主張し、当該韓国特許出願の文献に開示された全ての内容は本明細書の一部として含まれる。
【０００２】
本発明は二次電池に関し、さらに詳しくは、ベンティング（ｖｅｎｔｉｎｇ）圧の散布を改善することができる二次電池に関する。
【背景技術】
【０００３】
物質の物理的反応や化学的反応を介して電気エネルギーを生成させて外部に電源を供給する電池（ｃｅｌｌ、ｂａｔｔｅｒｙ）は、各種の電気電子機器で取り囲まれている生活環境によって、建物に供給される交流電源を獲得することができない場合や直流電源が必要な場合に用いることになる。
【０００４】
このような電池の中で、化学的反応を利用する化学電池である一次電池と二次電池が一般的に多く用いられているが、一次電池は、乾電池に通称されるもので消耗性電池である。また、二次電池は、電流と物質の間の酸化還元の過程が多数繰り返し可能な素材を用いて製造される再充電式電池であって、電流によって素材に対する還元反応が行われると電源が充電され、素材に対する酸化反応が行われると電源が放電されるところ、このような充電−放電が繰り返し行われることによって電気が生成されるようになる。
【０００５】
一方、二次電池の中で、リチウムイオン電池は、正極導電ホイルと負極導電ホイルにそれぞれ活物質を一定の厚さでコーティングし、前記両導電ホイルの間には分離膜が介在されるようにして略ゼリーロール（ｊｅｌｌｙ  ｒｏｌｌ）あるいは円筒の形態に多数回巻き取って製作した電極組立体を円筒状または角形カン、パウチなどに収納し、これを密封処理して製作される。
【０００６】
韓国公開特許第１０−２０１１−００９５１１８号公報には、従来の二次電池が開示されている。
【０００７】
二次電池は、内部圧力が増加するときにトップキャップ組立体を介して内部ガスを外部に排出し、トップキャップ組立体は、内部ガスの排出のための安全ベント（ｖｅｎｔ）が形成される。
【０００８】
このような安全ベントは、トップキャップ組立体とカンの間に設けられたベントフランジ部に形成されているノッチが、カンの内部圧力が増加するときに切開され、ガスの排出のための通路を形成する構成である。
【０００９】
特に、円型電池は、過充電などの異常状況の発生時に電池の爆発及び発火を防止するため、安全ベントのような特定部品でベンティング（ｖｅｎｔｉｎｇ）を誘導する。
【００１０】
このような安全ベントは、既設計されたベンティング圧でベンティングされないと安全問題が発生することがある。
【００１１】
ところで、従来の安全ベントは、ベンティング圧を測定するとき、安全ベントのノッチ（ｎｏｔｃｈ）が切開される前にトップキャップ（ｔｏｐｃａｐ）によって干渉を受けてベンティングが遅延されるという問題点があった。
【発明の概要】
【発明が解決しようとする課題】
【００１２】
したがって、本発明は、前記のような問題点を解決するために案出されたものであって、本発明の課題は、トップキャップとの干渉を防止してベンティング圧の散布を改善することができる二次電池を提供することである。
【課題を解決するための手段】
【００１３】
本発明の一実施形態に係る二次電池は、電極組立体、前記電極組立体を内部に収容するカン部材、及び前記カン部材の開口部を覆うトップキャップ組立体を含む二次電池であって、前記トップキャップ組立体は、最上部に位置されるトップキャップと前記トップキャップの下部に位置される安全ベント部を含み、前記安全ベント部は、前記カン部材の内部の内圧が所定の圧力以上に増加するときに破断される破断部、前記破断部の境界を形成する破断ノッチ部、及び前記カン部材の内側を眺める前記破断部の底面で、前記破断ノッチ部から前記破断部の中央側に離隔された位置に形成されたベンディングノッチ部を含み、前記カン部材の内部の内圧が増加するときに前記ベンディングノッチ部はベンディング（ｂｅｎｄｉｎｇ）されることを特徴とする。
【００１４】
前記破断ノッチ部は、前記安全ベント部の下部表面から凹んで形成され、前記ベンディングノッチ部もまた前記安全ベント部の下部表面から凹んで形成され、前記ベンディングノッチ部の凹んだ深さは、前記破断ノッチ部の凹んだ深さより浅くてよい。
【００１５】
前記破断ノッチ部は、前記破断部の前記底面に形成されてよい。
【００１６】
前記トップキャップ組立体は、前記破断部に付着して前記カン部材の内部の内圧が増加するときに破断されて電流を遮断する遮断部を備える電流遮断装置をさらに含んでよい。
【００１７】
前記電流遮断装置の遮断部は、前記破断部で前記ベンディングノッチ部の周囲内側に付着されてよい。
【００１８】
前記ベンディングノッチ部は、連続される円形または楕円形であってよい。
【００１９】
前記ベンディングノッチ部は、不連続される円形または楕円形であってよい。
【００２０】
前記ベンディングノッチ部は、互いに長さが異なるように複数個からなってよい。
【００２１】
前記破断ノッチ部は、不連続される円形または楕円形であってよい。
【００２２】
前記安全ベント部の縁部と前記破断部の間の連結部は上方にベンディング（ｂｅｎｄｉｎｇ）されてよい。
【００２３】
前記破断部は、前記連結部から前記ベンディングノッチ部側の方向に高さが低くなるように傾く傾斜部分、及び前記傾斜部分の端部から前記破断部の中央側に延長されて水平な形態の水平部分を含み、前記ベンディングノッチ部は前記傾斜部分と前記水平部分の境界に位置してよい。
【００２４】
前記安全ベント部の縁端部と前記破断ノッチ部の間の離隔距離と、前記破断ノッチ部と前記ベンディングノッチ部の間の離隔距離とは同一であってよい。
【発明の効果】
【００２５】
本発明によれば、安全ベント部の底面に破断ノッチ部の他にベンディングノッチ部を追加で形成し、カン部材の内部の内圧が上昇するときに安全ベント部がトップキャップに干渉されないようにするという効果がある。
【００２６】
また、安全ベント部がトップキャップに干渉されないため、破断ノッチ部が既設定されたベンティング圧で安定してベンティングされるようにすることにより、ベンティング圧の散布を改善するという効果がある。
【図面の簡単な説明】
【００２７】
【図１】本発明の第１実施形態に係る二次電池の斜視図である。
【図２】図１をＡ−Ａ方向に切断して二次電池の上部内部の主要部を示した部分断面図である。
【図３】図２で、カン部材の内圧が上昇して電流遮断装置から遮断部が破断されたことを示した使用状態図である。
【図４】図３で、安全ベント部の破断ノッチ部が切断されてベンティングされることを示した使用状態図である。
【図５】本発明の第１実施形態に係る安全ベント部のみを示した底面図である。
【図６】図５をＢ−Ｂ方向に切断して示した断面図である。
【図７】本発明の第２実施形態に係る安全ベント部のみを示した底面図である。
【図８】本発明の第３実施形態に係る安全ベント部のみを示した底面図である。
【図９】図８をＣ−Ｃ方向に切断して示した断面図である。
【図１０】従来の安全ベント部が設けられた二次電池を、図３に示したような断面でカン部材の内圧が上昇して電流遮断装置から遮断部が破断されたことを示した使用状態図である。
【図１１】従来の安全ベント部が設けられた二次電池と本発明の安全ベント部が設けられた二次電池のベンティング圧の散布を比べて示した散布図である。
【発明を実施するための形態】
【００２８】
以下、図を参照しつつ、本発明の好ましい実施形態に係る二次電池に対して詳しく説明する。
【００２９】
本明細書及び特許請求の範囲で用いられた用語や単語は、通常的かつ辞典的な意味に限定して解釈されてはならず、発明者は自身の発明を最善の方法で説明するために用語の概念を適宜定義することができるという原則に即し、本発明の技術的思想に適合する意味と概念として解釈されなければならない。よって、本明細書に記載された実施形態と図面に示された構成は、本発明の最も好ましい一実施形態に過ぎず、本発明の技術的思想を全て代弁するものではないので、本出願の時点においてこれらを取り替えることができる多様な均等物があり得ることを理解しなければならない。
【００３０】
図において、各構成要素またはその構成要素をなす特定部分の大きさは、説明の便宜及び明確性のために誇張かつ省略するか、又は概略的に示した。よって、各構成要素の大きさは、実際の大きさを全的に反映するものではない。関連した公知の機能あるいは構成に対する具体的な説明が、本発明の要旨を不要に不明にする虞があると判断される場合、そのような説明は省略する。
【００３１】
図１は、本発明の第１実施形態に係る二次電池の斜視図であり、図２は、図１をＡ−Ａ方向に切断して二次電池の上部内部の主要部を示した部分断面図である。
【００３２】
図１及び図２に示されているとおり、本発明の一実施形態に係る二次電池は、電極組立体１、前記電極組立体１を内部に収容するカン部材３、及び前記カン部材３の開口部を覆うトップキャップ組立体１００を含む二次電池であって、前記トップキャップ組立体１００は、最上部に位置されるトップキャップ１０１と前記トップキャップ１０１の下部に位置される安全ベント部１１０を含み、前記安全ベント部１１０は、前記カン部材３の内部の内圧が所定の圧力以上に増加するときに破断される破断部１１１、前記破断部１１１の境界を形成する破断ノッチ部１１３、及び前記カン部材３の内側を眺める前記破断部１１１の底面で、前記破断ノッチ部１１３から前記破断部１１１の中央側に離隔された位置に形成されたベンディングノッチ部１１５を含み、前記カン部材３の内部の内圧が増加するときに前記ベンディングノッチ部１１５はベンディング（ｂｅｎｄｉｎｇ）されることを特徴とする。
【００３３】
電極組立体１は、例えば、正極活物質が塗布された正極と負極活物質が塗布された負極、及び正極と負極の間に介在された分離膜を複数回積層して製作してよい。
【００３４】
そして、電極組立体１は、正極と分離膜及び負極を積層した積層体をゼリーロール状に巻き取って製作してもよい。
【００３５】
カン部材３は、円形リチウムイオン二次電池で略円筒状の上方が開放された形状を有した金属材質の容器であるか、角形リチウムイオン二次電池に略角形の上方が開放された形状を有した金属材質の容器であってよく、一般的に軽くて腐食への対処が容易なアルミニウムまたはアルミニウム合金が用いられる。
【００３６】
カン部材３は、電極組立体１と電解液（図示省略）の容器となり、電極組立体１がカン部材３の開放された上端、すなわち、上端開口部を介してカン部材３に挿入された後、カン部材３の上端開口部はトップキャップ組立体１００によって封じられる。
【００３７】
トップキャップ組立体１００は、カン部材３の内部の内圧が増加するときに破断されて電流を遮断する遮断部１２１を備える電流遮断装置１２０をさらに含んでよい。
【００３８】
図３は、図２で、カン部材の内圧が上昇して電流遮断装置から遮断部が破断されたことを示した使用状態図である。
【００３９】
図３に示されているとおり、電流遮断装置１２０は、遮断部１２１を安全ベント部１１０の破断部１１１に付着し、この際、カン部材３の内部の内圧が増加するときに遮断部１２１が電流遮断装置１２０から破断されながら、安全ベント部１１０の破断部１１１とともにトップキャップ組立体１００のトップキャップ１０１の方向である上方に移動するようになる。
【００４０】
本発明では、電流遮断装置１２０の遮断部１２１が破断部１１１でベンディングノッチ部１１５の周囲内側の真中央に付着されてよい。
【００４１】
安全ベント部１１０の破断ノッチ部１１３は、カン部材３の内部の内圧が増加するときに切開されるために安全ベント部１１０の表面から凹んで形成される。
【００４２】
破断ノッチ部１１３は、安全ベント部１１０の上面と底面のうちいずれか１つに形成されてよく、ただし、安全ベント部１１０がカン部材３の内部側を眺める安全ベント部１１０の底面に形成されれば、安全ベント部１１０がカン部材３の内部の内圧によって上方に上昇したときにトップキャップ１０１との離隔距離（ｄ）を確保するのに有利であり得る。
【００４３】
ベンディングノッチ部１１５は、破断ノッチ部１１３と同様に安全ベント部１１０の表面から凹んで湾入された形態（または凹んだ形態）に形成され、この際、ベンディングノッチ部１１５の凹んだ深さは破断ノッチ部１１３の凹んだ深さより浅くてよい。
【００４４】
このような理由は、ベンディングノッチ部１１５がカン部材３の内部の内圧によって切開されずにベンディング（ｂｅｎｄｉｎｇ）されるようにするため、ノッチ（ｎｏｔｃｈ）の厚さを切開されない程度の厚さに維持するためであってよい。
【００４５】
そして、ベンディングノッチ部１１５は、安全ベント部１１０の底面に形成され、安全ベント部１１０がカン部材３の内部の内圧によって上方に移動したときにトップキャップ１０１との隔離距離（ｄ）を確保するようにできる。
【００４６】
図４は、図３で、安全ベント部の破断ノッチ部が切断されてベンティングされることを示した使用状態図である。
【００４７】
図４に示されているとおり、安全ベント部１１０がカン部材３の内部の内圧によって上方に移動したときに、安全ベント部１１０の底面に形成されたベンディングノッチ部１１５のベンディングによってトップキャップ１０１との隔離距離（ｄ）を確保するようになれば、破断ノッチ部１１３が既設定されたベンティング（ｖｅｎｔｉｎｇ）圧によって切開されて安全にカン部材３の内部ガスを外部に排出（ｖｅｎｔｉｎｇ）するようにできる。
【００４８】
図５は、本発明の第１実施形態に係る安全ベント部のみを示した底面図である。
【００４９】
図５に示されているとおり、本発明の一実施形態によれば、破断ノッチ部１１３は、安全ベント部１１０の底面に不連続される円形または楕円形に形成されてよい。
【００５０】
このように、破断ノッチ部１１３は、安全ベント部１１０の底面の形状に対応されるように形成されてよい。すなわち、安全ベント部１１０の底面の形状が円形であれば、破断ノッチ部１１３の形状も円形を形成することができ、安全ベント部１１０の底面の形状が楕円形であれば、破断ノッチ部１１３の形状も楕円形を形成することができる。
【００５１】
ベンディングノッチ部１１５は、安全ベント部１１０の底面に連続される円形または楕円形を形成してよい。
【００５２】
ベンディングノッチ部１１５も破断ノッチ部１１３と同様に安全ベント部１１０の底面の形状に対応されるように形成されてよい。
【００５３】
また、ベンディングノッチ部１１５は、破断ノッチ部１１３より周囲の大きさが小さく形成され、安全ベント部１１０の底面で破断ノッチ部１１３の周囲内側に形成されてよい。
【００５４】
一方、安全ベント部１１０の底面からみて、安全ベント部１１０の底面縁端部と破断ノッチ部１１３の間の離隔された距離と、破断ノッチ部１１３とベンディングノッチ部１１５の間の離隔された距離とをいずれか一方に偏らずに同一にすれば、安全ベント部１１０がカン部材３の内部の内圧によって上方に移動したときに安全ベント部１１０とトップキャップ１０１との離隔距離を最も効果的に確保するようにできる。
【００５５】
図６は、図５をＢ−Ｂ方向に切断して示した断面図である。
【００５６】
図６に示されているとおり、本発明の一実施形態に係る二次電池は、安全ベント部１１０の縁部１１７と破断部１１１の間の連結部１１９が上方にベンディング（ｂｅｎｄｉｎｇ）されてよい。
【００５７】
すなわち、連結部１１９が上方にベンディングされたため、カン部材３の内部の内圧によって安全ベント部１１０が上方に移動しても、破断ノッチ部１１３が容易に切開されずに安全ベント部１１０が上方に移動するようにできる。
【００５８】
破断部１１１は、連結部１１９からベンディングノッチ部１１５の方向に高さが低くなるように傾く傾斜部分１１１ａを含んでよい。
【００５９】
そして、傾斜部分１１１ａの端部から破断部１１１の中央側に延長されて水平な形態の水平部分１１１ｂを含んでよい。
【００６０】
そして、ベンディングノッチ部１１５は、傾斜部分１１１ａと水平部分１１１ｂの境界に位置してよい。
【００６１】
すなわち、傾斜部分１１１ａが水平部分１１１ｂの方向に高さが低くなるように傾くことによって、連結部１１９が上方にベンディングされて高さが高くなったことを補償するので、破断部１１１の水平部分１１１ｂが最も下方に位置しながら水平を維持するようにすることができる。
【００６２】
このように、破断部１１１は、下方に設けられた電流遮断装置１２０の遮断部１２１と結合するために、水平部分１１１ｂが安全ベント部１１０で最も下方に位置してよい。
【００６３】
また、ベンディングノッチ部１１５が傾斜部分１１１ａと水平部分１１１ｂの境界に位置するようになれば、トップキャップ１０１との最適の隔離距離（ｄ）を確保するようにベンディングノッチ部１１５がベンディングされるようにするのに著しく効果的であり得る。
【００６４】
図７は、本発明の第２実施形態に係る安全ベント部のみを示した底面図である。
【００６５】
図７に示されているとおり、本発明の第２実施形態に係る二次電池は、安全ベント部１１０のベンディングノッチ部１１５が不連続される円形または楕円形を形成してよい。
【００６６】
ベンディングノッチ部１１５が不連続される円形または楕円形を形成すれば、ベンディングノッチ部１１５で凹んだ部分を最小化することができるので、カン部材３の内圧が上昇するときにベンディングノッチ部１１５が切開されることを効果的に防止することができる。
【００６７】
図８は、本発明の第３実施形態に係る安全ベント部のみを示した底面図であり、図９は、図８をＣ−Ｃ方向に切断して示した断面図である。
【００６８】
図８及び図９に示されているとおり、本発明の第３実施形態に係る二次電池は、安全ベント部１１０のベンディングノッチ部１１５が互いに長さが異なるように複数個に形成されてよい。
【００６９】
ベンディングノッチ部１１５が互いに長さが異なるように複数個に形成されれば、カン部材３の瞬間内圧の上昇によって安全ベント部１１０が急速な速度で上昇しても、複数個のベンディングノッチ部１１５がベンディングされながら上昇の衝撃を緩和させることができる。
【００７０】
すなわち、瞬間的に急激な上昇の衝撃によって破断ノッチ部１１３が既設定されたベンティング圧以前の圧力で破断されることを防止することができる。
【００７１】
図１０は、比較例として提示される。従来の安全ベント部が設けられた二次電池を、図３に示したような断面でカン部材の内圧が上昇して電流遮断装置から遮断部が破断されたことを示した使用状態図である。
【００７２】
図１０に示されているとおり、従来の二次電池は、安全ベント部１１０'に破断ノッチ部１１３'のみ形成し、本願発明のようなベンディングノッチ部を形成せずに製作される。
【００７３】
このような従来の二次電池は、カン部材３の内部の内圧が上昇するときに安全ベント部１１０'がトップキャップ１０１'の方向に移動し、この際、ガスの内圧によって安全ベント部１１０'でカン部材３と結合された縁部から最も距離が遠い安全ベント部１１０'の中央部位が最も上方に盛り上がり得る。
【００７４】
したがって、安全ベント部１１０'の中央部位がトップキャップ１０１'の隣近まで盛り上がり、トップキャップ１０１'との離隔距離（ｄ２）が略１２３μｍ程度まで近接し得る。また、さらには安全ベント部１１０'の中央部位がトップキャップ１０１'に接し得る。
【００７５】
このように、安全ベント部１１０'とトップキャップ１０１'との離隔距離（ｄ２）が近すぎたり接したりすると、破断ノッチが切開されて内部のガスをベンティングしなければならない既設定されたベンティング圧で切開されず、ベンティングが安定的になされない場合が発生することがある。
【００７６】
このような場合、二次電池の爆発、発熱、発火などの安全問題が発生することがある。
【００７７】
図３に示されているとおり、本発明の一実施形態に係る二次電池は、カン部材３の内部の内圧が上昇するときに破断部１１１の傾斜部分１１１ａが上方に折れながら安全ベント部１１０がトップキャップ１０１の方向に移動し、この際、安全ベント部１１０がトップキャップ１０１に向かって移動するとき、ベンディングノッチ部１１５が折れながら（ｂｅｎｄｉｎｇ）カン部材３の内部の内圧を一部吸収し、破断部１１１の水平部分１１１ｂがトップキャップ１０１の方向に盛り上がることを防止することができる。
【００７８】
したがって、安全ベント部１１０とトップキャップ１０１の間の離隔距離（ｄ１）を略１８６μｍ程度に充分に確保することができる。
【００７９】
このように、安全ベント部１１０とトップキャップ１０１の間の離隔距離（ｄ１）を確保することによって、既設定されたベンティング圧で破断ノッチ部１１３が切開されることがトップキャップ１０１により干渉されることを防止できるので、安定的にカン部材３の内部のガスをベンティングすることができる。
【００８０】
図１１は、従来の安全ベント部が設けられた二次電池と本発明の安全ベント部が設けられた二次電池のベンティング圧の散布を比べて示した散布図である。
【００８１】
図１１で、Ｖ０はベンティング圧の散布集合であり、Ｍｘはベンティング圧の最大値であり、Ｍｎはベンティング圧の最小値であり、Ｖ１、Ｖ２はそれぞれベンティング圧の散布の一部分である。
【００８２】
図１１を参照しつつ、従来のベンディングノッチ部が形成されていない安全ベント部のベンティング圧と、改善された本発明のベンディングノッチ部が形成された安全ベント部のベンティング圧とを比べてみると、従来の安全ベント部のベンティング圧の散布に比べ、本発明の安全ベント部のベンティング圧の散布が改善されたことが分かる。その差は略１．５倍程度であり得る。
【００８３】
特に、従来の安全ベント部は、カン部材の内部ガスのベンティング過程で、破断ノッチ部が切開されていない状態で安全ベント部の中央部がトップキャップに接するようになり、既設定されたベンティング圧で正常にベンティングされないことのような異常なベンティング過程でベンティング圧の変化が大きく発生する散布を示すことがＶ１及びＶ２であり得る。
【００８４】
前述したとおり、本発明によれば、安全ベントの底面に破断ノッチ部の他にベンディングノッチ部を追加で形成し、カン部材の内部の内圧が上昇するときに安全ベントがトップキャップに干渉されないようにするという効果がある。
【００８５】
また、安全ベントがトップキャップに干渉されないため、破断ノッチ部が既設定されたベンティング圧でベンティングされるようにすることにより、ベンティング圧の散布を改善するという効果がある。
【００８６】
以上のように本発明による二次電池を例示された図を参考にして説明したが、本発明は、以上で説明された実施形態と図によって限定されず、特許請求の範囲内で本発明の属する技術分野で通常の知識を有する者により多様な実施が可能である。
【図１】
2021530836.tif 000003
【図２】
2021530836.tif 000004
【図３】
2021530836.tif 000005
【図４】
2021530836.tif 000006
【図５】
2021530836.tif 000007
【図６】
2021530836.tif 000008
【図７】
2021530836.tif 000009
【図８】
2021530836.tif 000010
【図９】
2021530836.tif 000011
【図１０】
2021530836.tif 000012
【図１１】
2021530836.tif 000013
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
電極組立体；
前記電極組立体を内部に収容するカン部材；及び
前記カン部材の開口部を覆うトップキャップ組立体；を含む二次電池であって、
前記トップキャップ組立体は、最上部に位置されるトップキャップと前記トップキャップの下部に位置される安全ベント部を含み、
前記安全ベント部は、
前記カン部材の内部の内圧が所定の圧力以上に増加するときに破断される破断部；
前記破断部の境界を形成する破断ノッチ部；及び
前記カン部材の内側を眺める前記破断部の底面で、前記破断ノッチ部から前記破断部の中央側に離隔された位置に形成されたベンディングノッチ部を含み、
前記カン部材の内部の内圧が増加するときに前記ベンディングノッチ部はベンディング（ｂｅｎｄｉｎｇ）される二次電池。
【請求項２】
前記破断ノッチ部は、前記安全ベント部の下部表面から凹んで形成され、
前記ベンディングノッチ部もまた前記安全ベント部の下部表面から凹んで形成され、
前記ベンディングノッチ部の凹んだ深さは、前記破断ノッチ部の凹んだ深さより浅い、請求項１に記載の二次電池。
【請求項３】
前記破断ノッチ部は、前記破断部の前記底面に形成される、請求項１に記載の二次電池。
【請求項４】
前記トップキャップ組立体は、
前記破断部に付着して前記カン部材の内部の内圧が増加するときに破断されて電流を遮断する遮断部を備える電流遮断装置をさらに含む、請求項１から３のいずれか一項に記載の二次電池。
【請求項５】
前記電流遮断装置の遮断部は、前記破断部で前記ベンディングノッチ部の周囲内側に付着する、請求項４に記載の二次電池。
【請求項６】
前記ベンディングノッチ部は、連続している円形または楕円形である、請求項１から５のいずれか一項に記載の二次電池。
【請求項７】
前記ベンディングノッチ部は、不連続な円形または楕円形である、請求項１から５のいずれか一項に記載の二次電池。
【請求項８】
前記ベンディングノッチ部は、互いに長さが異なるように複数個からなる、請求項１から７のいずれか一項に記載の二次電池。
【請求項９】
前記破断ノッチ部は、不連続な円形または楕円形である、請求項１から８のいずれか一項に記載の二次電池。
【請求項１０】
前記安全ベント部の縁部と前記破断部の間の連結部は、上方にベンディング（ｂｅｎｄｉｎｇ）されている、請求項１から９のいずれか一項に記載の二次電池。
【請求項１１】
前記破断部は、
前記連結部から前記ベンディングノッチ部側の方向に高さが低くなるように傾く傾斜部分及び
前記傾斜部分の端部から前記破断部の中央側に延長されて水平な形態の水平部分を含み、
前記ベンディングノッチ部は、前記傾斜部分と前記水平部分の境界に位置する、請求項１０に記載の二次電池。
【請求項１２】
前記安全ベント部の縁端部と前記破断ノッチ部の間の離隔距離と、前記破断ノッチ部と前記ベンディングノッチ部の間の離隔距離とは同一である、請求項１から１１のいずれか一項に記載の二次電池。
【手続補正２】
【補正対象書類名】明細書
【補正対象項目名】００１８
【補正方法】変更
【補正の内容】
【００１８】
前記ベンディングノッチ部は、連続している円形または楕円形であってよい。
【手続補正３】
【補正対象書類名】明細書
【補正対象項目名】００１９
【補正方法】変更
【補正の内容】
【００１９】
前記ベンディングノッチ部は、不連続な円形または楕円形であってよい。
【手続補正４】
【補正対象書類名】明細書
【補正対象項目名】００２１
【補正方法】変更
【補正の内容】
【００２１】
前記破断ノッチ部は、不連続な円形または楕円形であってよい。
【手続補正５】
【補正対象書類名】明細書
【補正対象項目名】００４９
【補正方法】変更
【補正の内容】
【００４９】
図５に示されているとおり、本発明の一実施形態によれば、破断ノッチ部１１３は、安全ベント部１１０の底面に不連続な円形または楕円形に形成されてよい。
【手続補正６】
【補正対象書類名】明細書
【補正対象項目名】００５０
【補正方法】変更
【補正の内容】
【００５０】
このように、破断ノッチ部１１３は、安全ベント部１１０の底面の形状に対応されるように形成されてよい。すなわち、安全ベント部１１０の底面の形状が円形であれば、破断ノッチ部１１３の形状も円形で形成することができ、安全ベント部１１０の底面の形状が楕円形であれば、破断ノッチ部１１３の形状も楕円形で形成することができる。
【手続補正７】
【補正対象書類名】明細書
【補正対象項目名】００５１
【補正方法】変更
【補正の内容】
【００５１】
ベンディングノッチ部１１５は、安全ベント部１１０の底面に連続している円形または楕円形で形成してよい。
【手続補正８】
【補正対象書類名】明細書
【補正対象項目名】００６５
【補正方法】変更
【補正の内容】
【００６５】
図７に示されているとおり、本発明の第２実施形態に係る二次電池は、安全ベント部１１０のベンディングノッチ部１１５が不連続な円形または楕円形を形成してよい。
【手続補正９】
【補正対象書類名】明細書
【補正対象項目名】００６６
【補正方法】変更
【補正の内容】
【００６６】
ベンディングノッチ部１１５が不連続な円形または楕円形を形成すれば、ベンディングノッチ部１１５で凹んだ部分を最小化することができるので、カン部材３の内圧が上昇するときにベンディングノッチ部１１５が切開されることを効果的に防止することができる。
【国際調査報告】
2021530836.tif 000014
2021530836.tif 000015
2021530836.tif 000016
2021530836.tif 000017